(57)【要約】【課題】払い出される通貨の数が少なくなるように調整することが可能な自動取引装置を提供すること。【解決手段】商品を取引するために入力された通貨の金額を算出し、取引が指示された商品の取引金額を算出し、前記算出された入力金額から前記算出された取引金額を減算して払出金額を算出し、前記算出された払出金額と通貨の種類を示す金種情報とに基づいて、前記払出金額を構成する各通貨の数を算出し、前記算出された払出金額と通貨の種類を示す金種情報と前記算出された各通貨の合計数とに基づいて、前記算出された各通貨の合計数を最少にするために必要な必要追加金額を算出し、前記算出された必要追加金額を顧客に報知するために案内する。【選択図】図４
2011175596.tif 000002
【特許請求の範囲】
【請求項１】
商品を取引するために入力された通貨の金額を算出する入力金額算出手段と、
取引が指示された商品の取引金額を算出する取引金額算出手段と、
前記入力金額算出手段によって算出された入力金額から前記取引金額算出手段によって算出された取引金額を減算して払出金額を算出する払出金額算出手段と、
前記払出金額算出手段によって算出された払出金額と通貨の種類を示す金種情報とに基づいて、前記払出金額を構成する各通貨の数を算出する払出金数算出手段と、
前記払出金額算出手段によって算出された払出金額と通貨の種類を示す金種情報と前記払出金数算出手段によって算出された各通貨の合計数とに基づいて、前記払出金数算出手段によって算出された各通貨の合計数を最少にするために必要な必要追加金額を算出する必要追加金額算出手段と、
前記必要追加金額算出手段によって算出された必要追加金額を顧客に報知するために案内する必要追加金額案内手段と、
を備えることを特徴とする自動取引装置。
【請求項２】
前記自動取引装置内部に備えた通貨ストッカーに蓄えられた在庫通貨の数を算出する在庫通貨数算出手段、
を備え、
前記払出金数算出手段は、前記払出金額算出手段によって算出された払出金額と通貨の種類を示す金種情報と前記在庫通貨数算出手段によって算出された在庫通貨数とに基づいて、前記払出金額に対応する各通貨の数を算出する、
ことを特徴とする請求項１に記載の自動取引装置。
【請求項３】
前記自動取引装置は、自動販売機であって、
前記入力金額算出手段は、前記自動販売機に投入された通貨の合計金額を算出し、
前記取引金額算出手段は、前記自動販売機に対して購入が指示された商品の価格を前記取引金額として算出し、
前記払出金額算出手段は、前記合計金額から前記取引金額を減算して釣銭として前記払出金額を算出し、
前記払出金数算出手段は、前記釣銭を構成する各通貨の数を算出し、
前記必要追加金額算出手段は、前記釣銭を構成する各通貨の合計数を最少にするために前記自動販売機に追加投入する必要のある必要追加金額を算出し、
前記必要追加金額案内手段は、前記追加金額を前記自動販売機に追加投入するように前記顧客に促すために前記自動販売機が備える表示装置に表示する、
ことを特徴とする請求項１に記載の自動取引装置。
【請求項４】
自動取引装置のコンピュータが実行する自動取引方法であって、
商品を取引するために入力された通貨の金額を算出し、
取引が指示された商品の取引金額を算出し、
前記算出された入力金額から前記算出された取引金額を減算して払出金額を算出し、
前記算出された払出金額と通貨の種類を示す金種情報とに基づいて、前記払出金額を構成する各通貨の数を算出し、
前記算出された払出金額と通貨の種類を示す金種情報と前記算出された各通貨の合計数とに基づいて、前記算出された各通貨の合計数を最少にするために必要な必要追加金額を算出し、
前記算出された必要追加金額を顧客に報知するために案内する、
ことを特徴とする自動取引方法。
【発明の詳細な説明】
【技術分野】
【０００１】
本発明は、乗車券、入場券、観劇券等のチケットを販売する自動券売機を含む自動販売機、銀行等に設置されている現金自動預金支払機（ＡＴＭ：Automated Teller Machine）等の自動取引装置に関するもので、特に、払い出される通貨の数が少なくなるように調整することが可能な自動取引装置に関する。
【背景技術】
【０００２】
従来、乗車券等を販売する自動券売機を含む自動販売機では、購入者が投入した通貨を識別して金種毎の投入枚数や、釣銭として払出すことが出来る金種毎の払出し可能枚数を出力したり、指示された硬貨の払出しを行ったりする自動販売機がある。そして、このような自動販売機において、釣銭が足りなくなって商品が販売できない事態が発生したような場合、どの金種が釣銭切れであるのかを表示することにより、顧客に販売可能であることを知らしめる、すなわち、追加投入を促す技術が開示されている（例えば、特許文献１、２参照。）。
【先行技術文献】
【特許文献】
【０００３】
【特許文献１】特開２００５−１２２３５６号公報
【特許文献２】特開平０５−３４２４６５号公報
【発明の概要】
【発明が解決しようとする課題】
【０００４】
しかしながら、公共機関に設置されている小銭を投入する自動取引装置（自動販売機、ＡＴＭ、券売機）などでまとめ買いをした場合に、通常は先に金銭（例えば、紙幣１０００円札）を投入するが、購入した商品の合計金額によって釣銭の小銭が増えてしまい、顧客にとって重くなってしまう場合がある、という問題点がある。
【０００５】
また、上述のような場合、自動取引装置内部の通貨ストッカーの小銭が減ってしまう。通貨ストッカー内の小銭がなくなると釣銭切れになり、利用者によっては小銭がなく利用出来ない場合や自動取引装置側としても小銭切れにより売り上げが落ちると言った場合がある、という問題点がある。
【０００６】
図６は、従来の取引処理の流れを示すフローチャートである。
まず、ステップＳ６０１において、自動販売機は、投入された通貨、例えば１０００円札の投入を認識する。
【０００７】
次に、選択された商品の合計額、例えば、１１０円の商品を１個、１２０円の商品を１個、１３０円の商品を１個、１５０円の商品を１個が選択された場合、ステップＳ６０２において、これらの合計額５１０円を算出する。
【０００８】
次に、ステップＳ６０３において、選択された商品の払い出しを行い、それとともに、ステップＳ６０４において、残金額として、１０００円−５１０円を計算し、その計算結果である「４９０円」を表示する。
【０００９】
そして、ステップＳ６０５において、釣銭レバーが操作されたされたことを検出すると、または、一定時間釣銭レバーが操作されない場合は一定時間経過すると、ステップＳ６０６において、釣銭「４９０円」の払い出しを行う。この場合、釣銭を構成する通貨の種類と枚数は、最少でも１００円硬貨が４枚、５０円硬貨が１枚、１０円硬貨が４枚の合計９枚となる。
【００１０】
本発明は、上述のような実状に鑑みたものであり、払い出される通貨の数が少なくなるように調整することが可能な自動取引装置を提供することを目的とする。
【課題を解決するための手段】
【００１１】
本発明は、上記課題を解決するため、下記のような構成を採用した。
すなわち、本発明の一態様によれば、本発明の自動取引装置は、商品を取引するために入力された通貨の金額を算出する入力金額算出手段と、取引が指示された商品の取引金額を算出する取引金額算出手段と、前記入力金額算出手段によって算出された入力金額から前記取引金額算出手段によって算出された取引金額を減算して払出金額を算出する払出金額算出手段と、前記払出金額算出手段によって算出された払出金額と通貨の種類を示す金種情報とに基づいて、前記払出金額を構成する各通貨の数を算出する払出金数算出手段と、前記払出金額算出手段によって算出された払出金額と通貨の種類を示す金種情報と前記払出金数算出手段によって算出された各通貨の合計数とに基づいて、前記払出金数算出手段によって算出された各通貨の合計数を最少にするために必要な必要追加金額を算出する必要追加金額算出手段と、前記必要追加金額算出手段によって算出された必要追加金額を顧客に報知するために案内する必要追加金額案内手段とを備えることを特徴とする。
【００１２】
また、本発明の自動取引装置は、前記自動取引装置内部に備えた通貨ストッカーに蓄えられた在庫通貨の数を算出する在庫通貨数算出手段をさらに備え、前記払出金数算出手段が、前記払出金額算出手段によって算出された払出金額と通貨の種類を示す金種情報と前記在庫通貨数算出手段によって算出された在庫通貨数とに基づいて、前記払出金額に対応する各通貨の数を算出することが望ましい。
【００１３】
また、本発明の自動取引装置は、前記自動取引装置が自動販売機であって、前記入力金額算出手段が、前記自動販売機に投入された通貨の合計金額を算出し、前記取引金額算出手段が、前記自動販売機に対して購入が指示された商品の価格を前記取引金額として算出し、前記払出金額算出手段が、前記合計金額から前記取引金額を減算して釣銭として前記払出金額を算出し、前記払出金数算出手段が、前記釣銭を構成する各通貨の数を算出し、前記必要追加金額算出手段が、前記釣銭を構成する各通貨の合計数を最少にするために前記自動販売機に追加投入する必要のある必要追加金額を算出し、前記必要追加金額案内手段が、前記追加金額を前記自動販売機に追加投入するように前記顧客に促すために前記自動販売機が備える表示装置に表示することが望ましい。
【００１４】
また、本発明の一態様によれば、本発明の自動取引方法は、自動取引装置のコンピュータが実行する自動取引方法であって、商品を取引するために入力された通貨の金額を算出し、取引が指示された商品の取引金額を算出し、前記算出された入力金額から前記算出された取引金額を減算して払出金額を算出し、前記算出された払出金額と通貨の種類を示す金種情報とに基づいて、前記払出金額を構成する各通貨の数を算出し、前記算出された払出金額と通貨の種類を示す金種情報と前記算出された各通貨の合計数とに基づいて、前記算出された各通貨の合計数を最少にするために必要な必要追加金額を算出し、前記算出された必要追加金額を顧客に報知するために案内することを特徴とする。
【発明の効果】
【００１５】
本発明は、自動取引装置に対する通貨投入の際に、利用者に支払う通貨の数を少なくなるように計算して音声及び画面で案内し、投入金額の指示を出すことにより、利用者も小銭の量が少なくなり、自動取引装置側としても小銭ストックを最小限にすることが出来る、という効果を奏する。
【００１６】
また、利用者に小銭を投入してもらうことにより、小銭ストックに蓄えられる小銭が増える、という効果を奏する。
【図面の簡単な説明】
【００１７】
【図１】本発明を適用した取引処理の流れ（その１）を示すフローチャートである。
【図２】本発明を適用した取引処理の流れ（その２）を示すフローチャートである。
【図３】自動販売機が実行する取引処理の基本的な流れを示すフローチャートである。
【図４】本発明を適用した自動販売機が実行する取引処理の具体的な流れを示すフローチャート（その１）である。
【図５】本発明を適用した自動販売機が実行する取引処理の具体的な流れを示すフローチャート（その２）である。
【図６】従来の取引処理の流れを示すフローチャートである。
【発明を実施するための形態】
【００１８】
以下、本発明の実施の形態について、図面を参照しながら詳細に説明する。
これから説明する自動取引装置としての自動販売機は、例えば、複数種類の缶入り飲料、ペットボトル入り飲料、タバコ等の商品を販売するためのものである。外観は従来の自動販売機と同様であり、本体キャビネットおよび外扉を備えている。
【００１９】
本体キャビネットは、複数の鋼板を組み合わせることによって構成したもので、前面が開口した断熱構造の箱状を成している。また、本体キャビネットの内部には、複数の商品収容ラックを備えた商品収容庫および商品搬出装置が設けられている。商品搬出装置は、商品収容ラックから商品を商品取出口に払い出すためのものである。
【００２０】
外扉は、本体キャビネットの前面開口部を閉塞するためのもので、開閉可能となる態様で本体キャビネットの一側縁部に保持されている。外扉の前面側には、紙幣投入口、硬貨投入口、金額表示器、商品取出口、釣銭返却レバーおよび硬貨返却口が設けられている。紙幣投入口は利用者が紙幣を投入するための開口であり、硬貨投入口は利用者が硬貨を投入するための開口である。また、釣銭返却レバーは硬貨投入口または紙幣投入口から投入した貨幣を返却指示、あるいは釣銭の返却指示をするためのものであり、硬貨返却口は釣銭となる硬貨を利用者に返却するための開口である。そして、金額表示器は、利用者が投入した貨幣の入金額や釣銭の金額等、商品を販売する上で必要となる各種情報を外部に表示するためのものであり、商品取出口は、本体キャビネットから払い出された商品を利用者が取り出すための開口である。
【００２１】
図１は、本発明を適用した取引処理の流れ（その１）を示すフローチャートである。
まず、ステップＳ１０１において、自動販売機は、投入された通貨、例えば１０００円札の投入を認識する。
【００２２】
次に、選択された商品の合計額、例えば、１１０円の商品を１個、１２０円の商品を１個、１３０円の商品を１個、１５０円の商品を１個が選択された場合、ステップＳ１０２において、これらの合計額５１０円を算出する。
【００２３】
次に、ステップＳ１０３において、選択された商品の払い出しを行い、それとともに、ステップＳ１０４において、残金額として、１０００円−５１０円を計算し、その計算結果である「４９０円」を表示する。
【００２４】
次に、ステップＳ１０５において、あと１０円投入すれば釣銭が５００円玉だけになる旨を音声案内または表示案内し、１０円を投入するように指示する。１０円が投入されると、ステップＳ１０６において、残金額として、４９０円＋１０円を計算し、その計算結果である「５００円」を表示する。
【００２５】
そして、ステップＳ１０７において、釣銭レバーが操作されたされたことを検出すると、または、一定時間釣銭レバーが操作されない場合は一定時間経過すると、ステップＳ１０８において、釣銭「５００円」の払い出しを行う。この場合、釣銭を構成する通貨の種類と枚数は、５００円硬貨が１枚のみとなる。
【００２６】
これにより、図６に示した従来の取引処理と比較して、釣銭を構成する通貨の枚数が、最少でも１００円硬貨が４枚、５０円硬貨が１枚、１０円硬貨が４枚の合計９枚のところ、５００円硬貨の１枚のみになる。これは、釣銭を受け取る顧客にとっては、枚数および重量が少なくてすみ、自動販売機にとっては、通貨ストッカー内の１００円硬貨、５０円硬貨、１０円硬貨が減らない、というメリットがある。
【００２７】
図２は、本発明を適用した取引処理の流れ（その２）を示すフローチャートである。
まず、ステップＳ２０１において、自動販売機は、投入された通貨、例えば１００円硬貨４枚の投入を認識する。
【００２８】
次に、選択された商品の合計額、例えば、１２０円の商品を３個が選択された場合、ステップＳ２０２において、これらの合計額３６０円を算出する。
次に、ステップＳ２０３において、選択された商品の払い出しを行い、それとともに、ステップＳ２０４において、残金額として、４００円−３６０円を計算し、その計算結果である「４０円」を表示する。
【００２９】
次に、ステップＳ２０５において、あと６０円投入すれば釣銭が１００円玉だけになる旨を音声案内または表示案内し、６０円を投入するように指示する。６０円が投入されると、ステップＳ２０６において、残金額として、４０円＋６０円を計算し、その計算結果である「１００円」を表示する。
【００３０】
そして、ステップＳ２０７において、釣銭レバーが操作されたされたことを検出すると、または、一定時間釣銭レバーが操作されない場合は一定時間経過すると、ステップＳ２０８において、釣銭「１００円」の払い出しを行う。この場合、釣銭を構成する通貨の種類と枚数は、１００円硬貨が１枚のみとなる。
【００３１】
これにより、自動販売機にとっては、通貨ストッカー内の小銭が増え、釣銭切れによって販売チャンスを逃してしまうことがなくなる、というメリットがある。
次に、本発明を適用した取引処理の具体的な実現方法について説明する。
【００３２】
自動販売機に代表される自動取引装置は、上述のような取引処理を実行するために、入力金額算出部、取引金額算出部、払出金額算出部、払出金数算出部、必要追加金額算出部、必要追加金額案内部および在庫通貨数算出部を備える。
【００３３】
入力金額算出部は、商品を取引するために入力された通貨の金額を算出する。例えば、自動取引装置が自動販売機の場合には、自動販売機に投入された現金の合計額を算出する。また、プリペイドカードやクレジットカード等を用いて取引を行うことが可能な自動取引装置の場合には、その電子取引の際に購入に当てることが可能な額を算出する。図１に示した例では、ステップＳ１０１の処理に相当し、図２に示した例では、ステップＳ２０１の処理に相当する。
【００３４】
取引金額算出部は、取引が指示された商品の取引金額を算出する。例えば、自動取引装置が自動販売機の場合には、自動販売機で購入が指示された商品価格の合計額を算出し、プリペイドカード等を用いた自動取引装置の場合には、電子取引をする対象商品の合計額を算出する。図１に示した例では、ステップＳ１０２の処理に相当し、図２に示した例では、ステップＳ２０２の処理に相当する。
【００３５】
払出金額算出部は、前記入力金額算出部によって算出された入力金額から前記取引金額算出部によって算出された取引金額を減算して払出金額、すなわち釣銭を算出する。図１に示した例では、ステップＳ１０４の処理に相当し、図２に示した例では、ステップＳ２０４の処理に相当する。
【００３６】
払出金数算出部は、前記払出金額算出部によって算出された払出金額、すなわち釣銭と、通貨の種類を示す金種情報、例えば、現在の日本国の場合であれば、１円、５円、１０円、５０円、１００円、５００円、１０００円、２０００円、５０００円等を示す金種情報とに基づいて、前記払出金額を構成する各通貨の数を算出する。例えば、図１に示した例では、払出金額、すなわち釣銭が４９０円であり、通貨の数として、１００円硬貨が４枚、５０円硬貨が１枚、１０円硬貨が４枚の合計９枚を算出する。
【００３７】
必要追加金額算出部は、前記払出金額算出部によって算出された払出金額と通貨の種類を示す金種情報と前記払出金数算出手段によって算出された各通貨の合計数とに基づいて、前記払出金数算出部によって算出された各通貨の合計数を最少にするために必要な必要追加金額を算出する。例えば、図１に示した例では、１００円硬貨が４枚、５０円硬貨が１枚、１０円硬貨が４枚の合計９枚で４９０円の釣銭であるので、４９０円より大きい通貨である５００円から４９０円を減算し、その結果である「１０円硬貨１枚」を必要追加金額として算出する。
【００３８】
なお、例えば、釣銭が４７０円であれば、４７０円より大きい通貨である５００円から４７０円を減算し、その結果である「１０円硬貨３枚」を必要追加金額として算出し、釣銭が８０円であれば、８０円より大きい通貨である１００円から８０円を減算し、その結果である「１０円硬貨２枚」を必要追加金額として算出する。また、釣銭が４０円であれば、４０円より大きい通貨である５０円から４０円を減算し、その結果である「１０円硬貨１枚」を必要追加金額として算出するか、４０円より大きい通貨である１００円から４０円を減算し、その結果である「５０円硬貨１枚」および「１０円硬貨１枚」を必要追加金額として算出する。
【００３９】
そして、必要追加金額案内部は、前記必要追加金額算出部によって算出された必要追加金額を顧客に報知するために案内する。例えば、自動取引装置が自動販売機の場合には、前記追加金額を自動販売機に追加投入するように前記顧客に促すために自動販売機が備える表示装置に表示する。あるいは、自動販売機が備える音声出力装置を用いて音声出力する。
【００４０】
図３は、自動販売機が実行する取引処理の基本的な流れを示すフローチャートである。
まず、ステップＳ３０１において、自動販売機は、投入された通貨を認識する。
次に、ステップＳ３０２において、ステップＳ３０１で投入された通貨で、購入可能な商品があるか否かを判断する。
【００４１】
購入可能な商品がない場合（ステップＳ３０２：Ｎｏ）は、ステップＳ３０１に戻り、さらなる通貨の投入を待つ。他方、購入可能な商品がある場合（ステップＳ３０２：Ｙｅｓ）は、ステップＳ３０３において、商品を選択指示するボタンが押されたか否かを判断する。
【００４２】
商品を選択指示するボタンが未だ押されていない場合（ステップＳ３０３：Ｎｏ）は、商品の選択指示待ち状態を維持し、商品を選択指示するボタンが押された場合（ステップＳ３０３：Ｙｅｓ）は、ステップＳ３０４において、選択された商品の払い出しを行う。
【００４３】
次に、ステップＳ３０５において、ステップＳ３０１で入金された金額からステップＳ３０４で払い出した商品の価格を減算し、ステップＳ３０６において、その計算結果である残金（現時点での釣銭額）を表示する。
【００４４】
そして、ステップＳ３０７において、ステップＳ３０５で算出し、ステップＳ３０６で表示した残金が「０」か否かを判断する。
「０」であれば（ステップＳ３０７：Ｙｅｓ）、本取引処理を終了し、「０」でなければ（ステップＳ３０７：Ｎｏ）、ステップＳ３０８において、その残金でさらに商品が購入できるか否かを判断する。
【００４５】
さらに商品を購入することができると判断された場合（ステップＳ３０８：Ｙｅｓ）は、ステップＳ３０９において、購入するか否かを判断し、購入する場合（ステップＳ３０９：Ｙｅｓ）、ステップＳ３０３に戻り、商品の選択指示待ち状態を維持する。
【００４６】
他方、さらに商品を購入することができない、すなわち現時点での釣銭額で購入することのできる商品がないと判断された場合（ステップＳ３０８：Ｎｏ）、または、購入することはできるが購入しない場合（ステップＳ３０９：Ｎｏ）は、ステップＳ３１０において、釣銭返却レバーが操作されたか否かを判断する。また、釣銭返却レバーが操作されていなくても（ステップＳ３１０：Ｎｏ）、ステップＳ３１１において、一定時間が経過したか否かを判断する。
【００４７】
そして、釣銭返却レバーが操作された場合（ステップＳ３１０：Ｙｅｓ）、または、一定時間が経過した場合（ステップＳ３１１：Ｙｅｓ）は、ステップＳ３１２において、ステップＳ３０５で算出し、ステップＳ３０６で表示した残金を釣銭として硬貨返却口等から払い出す。
【００４８】
以上が、自動販売機が実行する取引処理の基本的な流れである。次に、取引処理のより具体的な流れについて説明する。
図４および図５は、本発明を適用した自動販売機が実行する取引処理の具体的な流れを示すフローチャートである。
【００４９】
まず、ステップＳ４０１において、自動販売機は、投入された通貨を認識し、ステップＳ４０２において、ステップＳ４０１で投入された通貨で、購入可能な商品があるか否かを判断する。
【００５０】
購入可能な商品がない場合（ステップＳ４０２：Ｎｏ）は、ステップＳ４０１に戻り、さらなる通貨の投入を待つ。他方、購入可能な商品がある場合（ステップＳ４０２：Ｙｅｓ）は、ステップＳ４０３において、商品を選択指示するボタンが押されたか否かを判断する。
【００５１】
商品を選択指示するボタンが未だ押されていない場合（ステップＳ４０３：Ｎｏ）は、商品の選択指示待ち状態を維持し、商品を選択指示するボタンが押された場合（ステップＳ４０３：Ｙｅｓ）は、ステップＳ４０４において、選択された商品の払い出しを行う。
【００５２】
次に、ステップＳ４０５において、ステップＳ４０１で入金された金額からステップＳ４０４で払い出した商品の価格を減算し、ステップＳ４０６において、その計算結果である残金（現時点での釣銭額）を表示する。
【００５３】
そして、ステップＳ４０７において、ステップＳ４０５で算出し、ステップＳ４０６で表示した残金が「０」か否かを判断し、「０」であれば（ステップＳ４０７：Ｙｅｓ）、本取引処理を終了する。
【００５４】
他方、ステップＳ４０６で表示した残金が「０」でなければ（ステップＳ４０７：Ｎｏ）、ステップＳ４０８において、通貨ストッカー内に蓄えられた在庫通貨の数を算出する。そして、ステップＳ４０９において、ステップＳ４０５で算出した残金でさらに商品が購入できるか否かを判断する。
【００５５】
さらに商品を購入することができると判断された場合（ステップＳ４０９：Ｙｅｓ）は、ステップＳ４１０において、購入するか否かを判断し、購入する場合（ステップＳ４１０：Ｙｅｓ）、ステップＳ４０３に戻り、商品の選択指示待ち状態を維持する。
【００５６】
他方、さらに商品を購入することができない、すなわち現時点での釣銭額で購入することのできる商品がないと判断された場合（ステップＳ４０９：Ｎｏ）、または、購入することはできるが購入しない場合（ステップＳ４１０：Ｎｏ）は、ステップＳ４１１において、ステップＳ４０５で算出した残金（釣銭）が何れかの通貨１枚（最も少ない数）であるのか否かを判断する。
【００５７】
釣銭が１枚でなければ（ステップＳ４１１：Ｎｏ）、図５のステップＳ５０１へ進む。図５については後述する。
他方、釣銭が１枚であれば（ステップＳ４１１：Ｙｅｓ）、ステップＳ４１２において、釣銭が５００円であるか否かを判断し、５００円であれば（ステップＳ４１２：Ｙｅｓ）、ステップＳ４１３において、後述するステップＳ４２１での釣銭の払い出しとして５００円を払い出すように指示する。
【００５８】
また、釣銭が５００円ではない場合（ステップＳ４１２：Ｎｏ）、ステップＳ４１４において、釣銭が１００円であるか否かを判断し、１００円であれば（ステップＳ４１４：Ｙｅｓ）、ステップＳ４１５において、１００円を払い出すように指示する。
【００５９】
また、釣銭が１００円ではない場合（ステップＳ４１４：Ｎｏ）、ステップＳ４１６において、釣銭が５０円であるか否かを判断し、５０円であれば（ステップＳ４１６：Ｙｅｓ）、ステップＳ４１７において、後述するステップＳ４２１での釣銭の払い出しとして５０円を払い出すように指示し、５０円ではない場合（ステップＳ４１６：Ｎｏ）、ステップＳ４１８において、後述するステップＳ４２１での釣銭の払い出しとして１０円を払い出すように指示する。そして、後述する。ステップＳ４１９に進む。
【００６０】
ステップＳ４１１で釣銭が通貨１枚ではないと判断した場合（ステップＳ４１１：Ｎｏ）、図５のステップＳ５０１において、釣銭の金額が５０円に満たないか否かを判断する。
【００６１】
５０円に満たないと判断された場合（ステップＳ５０１：Ｙｅｓ）は、ステップＳ５０２において、図４のステップＳ４０８で算出した、通貨ストッカー内に蓄えられた在庫通貨の数に基づいて、５０円が蓄えられているか否かを判断する。
【００６２】
そして、５０円が通貨ストッカー内に蓄えられていると判断された場合（ステップＳ５０２：Ｙｅｓ）は、ステップＳ５０３において、ステップＳ４０５で算出した釣銭を５０円から減算し、ステップＳ５０４において、その減算した額を投入すれば釣銭が５０円玉だけになる旨を音声案内または表示案内する。そして、ステップＳ５０５において、その額が投入されたか否かを判断し、投入されると（ステップＳ５０５：Ｙｅｓ）、ステップＳ５０６において、投入を確認し、ステップＳ５０７において、「５０円」を表示して、図４のステップ４１９へ進む。他方、ステップＳ５０２で５０円が通貨ストッカー内に蓄えられていないと判断された場合（ステップＳ５０２：Ｎｏ）は、ステップＳ５０８へ進む。
【００６３】
次に、ステップＳ５０１で釣銭の金額が５０円未満ではない（５０円を超え、かつ１枚ではない）と判断した場合（ステップＳ５０１：Ｎｏ）、ステップＳ５２０において、釣銭の金額が１００円に満たない（かつ、６０円以上）か否かを判断する。
【００６４】
１００円に満たないと判断された場合（ステップＳ５２０：Ｙｅｓ）は、ステップＳ５０８において、図４のステップＳ４０８で算出した、通貨ストッカー内に蓄えられた在庫通貨の数に基づいて、１００円が蓄えられているか否かを判断する。
【００６５】
また、１００円が通貨ストッカー内に蓄えられていると判断された場合（ステップＳ５０８：Ｙｅｓ）は、ステップＳ５０９において、ステップＳ４０５で算出した釣銭を１００円から減算し、ステップＳ５１０において、その減算した額を投入すれば釣銭が１００円玉だけになる旨を音声案内または表示案内する。そして、ステップＳ５１１において、その額が投入されたか否かを判断し、投入されると（ステップＳ５１１：Ｙｅｓ）、ステップＳ５１２において、投入を確認し、ステップＳ５１３において、「１００円」を表示して、図４のステップ４１９へ進む。他方、１００円が通貨ストッカー内に蓄えられていないと判断された場合（ステップＳ５０８：Ｎｏ）は、ステップＳ５１４へ進む。
【００６６】
次に、ステップＳ５２０で釣銭の金額が１００円未満ではない（１００円を超え、かつ１枚ではない）と判断した場合（ステップＳ５２０：Ｎｏ）、ステップＳ５２１において、釣銭の金額が５００円に満たない（かつ、１１０円以上）か否かを判断する。
【００６７】
５００円に満たないと判断された場合（ステップＳ５２１：Ｙｅｓ）は、ステップＳ５１４において、図４のステップＳ４０８で算出した、通貨ストッカー内に蓄えられた在庫通貨の数に基づいて、５００円が蓄えられているか否かを判断する。
【００６８】
また、５００円が通貨ストッカー内に蓄えられていると判断された場合（ステップＳ５１４：Ｙｅｓ）は、ステップＳ５１５において、ステップＳ４０５で算出した釣銭を５００円から減算し、ステップＳ５１６において、その減算した額を投入すれば釣銭が５００円玉だけになる旨を音声案内または表示案内する。そして、ステップＳ５１７において、その額が投入されたか否かを判断し、投入されると（ステップＳ５１７：Ｙｅｓ）、ステップＳ５１８において、投入を確認し、ステップＳ５１９において、「５００円」を表示して、図４のステップ４１９へ進む。他方、５００円が通貨ストッカー内に蓄えられていないと判断された場合（ステップＳ５１４：Ｎｏ）は、図４のステップＳ４１９へ進む。また、ステップＳ５２１で釣銭の金額が５００円未満ではない（５００円を超え、かつ１枚ではない）と判断した場合（ステップＳ５２１：Ｎｏ）も図４のステップＳ４１９へ進む。
【００６９】
図４の説明に戻る。
ステップＳ４１９において、釣銭返却レバーが操作されたか否かを判断する。また、釣銭返却レバーが操作されていなくても（ステップＳ４１９：Ｎｏ）、ステップＳ４２０において、一定時間が経過したか否かを判断する。
【００７０】
そして、釣銭返却レバーが操作された場合（ステップＳ４１９：Ｙｅｓ）、または、一定時間が経過した場合（ステップＳ４２０：Ｙｅｓ）は、ステップＳ４２１において、ステップＳ４０５で算出し、ステップＳ４０６で表示した残金、または図５のステップＳ５０７、Ｓ５１３、Ｓ５１９の何れかで表示した残金を釣銭として硬貨返却口等から払い出す。
【００７１】
以上、本発明の実施の形態を、図面を参照しながら説明してきたが、上述してきた本発明の実施の形態は、自動取引装置の一機能としてハードウェアまたはＤＳＰ（Digital Signal Processor）ボードやＣＰＵボードでのファームウェアもしくはソフトウェアにより実現することができる。
【００７２】
また、本発明が適用される自動取引装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７３】
また、バスに接続されたＣＰＵ、ＲＯＭやＲＡＭのメモリ、入力装置、出力装置、外部記録装置、媒体駆動装置、ネットワーク接続装置で構成されるシステムでも実現できる。すなわち、前述してきた実施の形態のシステムを実現するソフトェアのプログラムを記録したＲＯＭやＲＡＭのメモリ、外部記録装置、可搬記録媒体を、自動取引装置に供給し、その自動取引装置のコンピュータがプログラムを読み出し実行することによっても、達成されることは言うまでもない。
【００７４】
この場合、可搬記録媒体等から読み出されたプログラム自体が本発明の新規な機能を実現することになり、そのプログラムを記録した可搬記録媒体等は本発明を構成することになる。
【００７５】
プログラムを供給するための可搬記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００７６】
また、コンピュータ（情報処理装置）がメモリ上に読み出したプログラムを実行することによって、前述した実施の形態の機能が実現される他、そのプログラムの指示に基づき、コンピュータ上で稼動しているＯＳなどが実際の処理の一部または全部を行ない、その処理によっても前述した実施の形態の機能が実現される。
【００７７】
さらに、可搬型記録媒体から読み出されたプログラムやプログラム（データ）提供者から提供されたプログラム（データ）が、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施の形態の機能が実現され得る。
【００７８】
すなわち、本発明は、以上に述べた実施の形態に限定されるものではなく、本発明の要旨を逸脱しない範囲内で種々の構成または形状を取ることができる。
【図１】
2011175596.tif 000003
【図２】
2011175596.tif 000004
【図３】
2011175596.tif 000005
【図４】
2011175596.tif 000006
【図５】
2011175596.tif 000007
【図６】
2011175596.tif 000008